(57)【要約】      （修正有）【課題】ラップフィルムが前記飛び出し防止部に引っ掛かることがなく、最初に前記ラップフィルムを前記ラップフィルムロールから前記ラップフィルム収納ケースの外側に引き出すことが容易になる。【解決手段】巻き終えたラップフィルム２を該ラップフィルム２の上方の巻き戻り方向に折り返し、前記折り返した部分から上方の表面に片方につまみを有するシール４を貼り付けた構成。【選択図】図１
2010030602.tif 000002
【特許請求の範囲】
【請求項１】
巻き終えたラップフィルムを該ラップフィルムの上方の巻き戻り方向に折り返し、前記折り返した部分から上方の表面に片方につまみを有するシールを貼り付けたことを特徴とするラップフィルムロール。
【請求項２】
該シールが両方に該つまみを有することを特徴とする請求項１記載のラップフィルムロール。
【発明の詳細な説明】
【技術分野】
【０００１】
本発明はラップフィルムロールに係わる。
【背景技術】
【０００２】
特許文献１においては本発明と目的は一致しているが、本発明と構成を異にする。
【０００３】
【特許文献１】特開２００８−０９４４５８号
【発明の開示】
【発明が解決しようとする課題】
【０００４】
ラップフィルム収納ケースにラップフィルムロールが飛び出すのを防止する長手方向の飛び出し防止部を有する場合、ラップフィルムが前記飛び出し防止部に引っ掛かることから、前記ラップフィルム収納ケースの蓋を開いた形態で前記ラップフィルム収納ケースに収納されている前記ラップフィルムロールに貼り付けられているシールのつまみを持って前記シールを引っ張り、最初に前記ラップフィルムを前記ラップフィルムロールから前記ラップフィルム収納ケースの外側に引き出すことが困難であるという短所があった。
【課題を解決するための手段】
【０００５】
巻き終えたラップフィルムを該ラップフィルムの上方の巻き戻り方向に折り返し、前記折り返した部分から上方の表面に片方につまみを有するシールを貼り付けたことを特徴とする。
【０００６】
該シールが両方に該つまみを有することを特徴とする。
【発明の効果】
【０００７】
本発明は、巻き終えたラップフィルムを該ラップフィルムの上方の巻き戻り方向に折り返し、前記折り返した部分から上方の表面に片方につまみを有するシールを貼り付けたことで、ラップフィルム収納ケースの蓋を開いた形態で該つまみを持って該シールを該つまみの反対側に引っ張ると、該シールの接着面に引っ張られて該ラップフィルムがラップフィルムロールから該ラップフィルム収納ケースの外側に引き出されることから、該ラップフィルムが長手方向の飛び出し防止部に引っ掛かることがなく、最初に該ラップフィルムをラップフィルムロールから該ラップフィルム収納ケースの外側に引き出すことが容易になる。
【０００８】
又、本発明は、該シールが両方に該つまみを有することで、左右のどちらであったとしても、前記引き出すことが容易になる。
【０００９】
又、本発明は低コストで実現することができるため、材料費のコストダウンを図ることができる。
【発明を実施するための最良の形態】
【００１０】
本発明を実施するための形態を各図を参照して説明する。
本発明は、巻き終えたラップフィルム２を該ラップフィルム２の上方の巻き戻り方向に折り返し、前記折り返した部分から上方の表面に片方につまみ６を有するシール４を貼り付けたラップフィルムロールである。本発明の素材はプラスチックなどの樹脂材にしてもよい。
【００１１】
本発明の実施例においては図１〜図５に示すように巻き終えたラップフィルム２の端部３を該ラップフィルム２の上方の巻き戻り方向に折り返し、前記折り返した部分から上方の該端部３までの表面に長手方向の両方につまみ６を有するシール４を貼り付けたラップフィルムロールに係わる。
【００１２】
図６に示す従来のラップフィルムロールにおいてはラップフィルム収納ケースにラップフィルムロールが飛び出すのを防止する長手方向の飛び出し防止部を有する場合、図１０に示すようにラップフィルム２が長手方向の飛び出し防止部９に引っ掛かることから、図８、図１０に示すように図９に示すラップフィルム収納ケース７の蓋８を開いた形態で該ラップフィルム収納ケース７に収納されている図６に示すラップフィルムロールに貼り付けられているシール４のつまみ６を持って該シール４を引っ張り、最初に該ラップフィルム２を該ラップフィルムロールから該ラップフィルム収納ケース７の外側に引き出すことが困難である。
【００１３】
しかし、本発明は、図１〜図５に示すように巻き終えたラップフィルム２の端部３を該ラップフィルム２の上方の巻き戻り方向に折り返し、前記折り返した部分から上方の該端部３までの表面に長手方向の両方につまみ６を有するシール４を貼り付けたことで、図３、図５に示すように図４に示すラップフィルム収納ケース７の蓋８を開いた形態で該つまみ６を持って該シール４を該つまみ６の反対側に引っ張ると、該シール４の接着面５に引っ張られて該ラップフィルム２がラップフィルムロール１から該ラップフィルム収納ケース７の外側に引き出されることから、該ラップフィルム２が長手方向の飛び出し防止部９に引っ掛かることがなく、最初に該ラップフィルム２を該ラップフィルムロール１から該ラップフィルム収納ケース７の外側に引き出すことが容易になる。
【００１４】
又、該シール４の両方に該つまみ６を有することから、左右のどちらであったとしても、前記引き出すことが容易になる。
【００１５】
又、本発明は低コストで実現することができるため、材料費のコストダウンを図ることができる。
【産業上の利用可能性】
【００１６】
本発明は、使い勝手がよい構成を低コストで実現することができるため、市場における拡販及び利便性の向上を期待することができる。
【図面の簡単な説明】
【００１７】
【図１】本発明の一実施例のラップフィルムロールの外観図
【図２】本発明の一実施例のつまみの長手方向の断面図
【図３】図１の本発明の一実施例のラップフィルムロールにおいて、貼り付けたシールのつまみを持って前記シールを前記つまみの反対側に引っ張ったときの外観図
【図４】図１の本発明の一実施例のラップフィルムロールを収納したラップフィルム収納ケースの蓋を開いた形態の外観図
【図５】図４の本発明の一実施例のラップフィルムロールにおいて、貼り付けたシールのつまみを持って前記シールを前記つまみの反対側に引っ張ったときの外観図
【図６】従来のラップフィルムロールの外観図
【図７】従来のつまみの長手方向の断面図
【図８】図６の従来のラップフィルムロールにおいて、貼り付けられているシールのつまみを持って前記シールを引っ張ったときの外観図
【図９】図６の従来のラップフィルムロールを収納したラップフィルム収納ケースの蓋を開いた形態の外観図
【図１０】図９の従来のラップフィルムロールにおいて、貼り付けられているシールのつまみを持って前記シールを引っ張ったときの外観図
【符号の説明】
【００１８】
１  ラップフィルムロール
２  ラップフィルム
３  端部
４  シール
５  接着面
６  つまみ
７  ラップフィルム収納ケース
８  蓋
９  飛び出し防止部
【図１】
2010030602.tif 000003
【図２】
2010030602.tif 000004
【図３】
2010030602.tif 000005
【図４】
2010030602.tif 000006
【図５】
2010030602.tif 000007
【図６】
2010030602.tif 000008
【図７】
2010030602.tif 000009
【図８】
2010030602.tif 000010
【図９】
2010030602.tif 000011
【図１０】
2010030602.tif 000012
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
巻き終えたラップフィルムの端部を該ラップフィルムの外側に折り返し、該ラップフィルムの幅方向の片方につまみを有するシールを前記折り返した部分の該ラップフィルムの幅方向に渡って貼り付けたことを特徴とするラップフィルムロール。
【請求項２】
該シールが該ラップフィルムの幅方向の両方に該つまみを有することを特徴とする請求項１記載のラップフィルムロール。
【手続補正２】
【補正対象書類名】明細書
【補正対象項目名】全文
【補正方法】変更
【補正の内容】
【発明の詳細な説明】
【技術分野】
【０００１】
本発明はラップフィルムロールに係わる。
【背景技術】
【０００２】
特許文献１においては本発明と目的は一致しているが、本発明と構成を異にする。
【０００３】
【特許文献１】特開２００８−０９４４５８号
【発明の開示】
【発明が解決しようとする課題】
【０００４】
ラップフィルム収納ケースにラップフィルムロールが飛び出すのを防止する長手方向の飛び出し防止部を有する場合、ラップフィルムが前記飛び出し防止部に引っ掛かることから、前記ラップフィルム収納ケースの蓋を開いた形態で前記ラップフィルム収納ケースに収納されている前記ラップフィルムロールに貼り付けられているシールのつまみを持って前記シールを引っ張り、最初に前記ラップフィルムを前記ラップフィルムロールから前記ラップフィルム収納ケースの外側に引き出すことが困難であるという短所があった。
【課題を解決するための手段】
【０００５】
巻き終えたラップフィルムの端部を該ラップフィルムの外側に折り返し、該ラップフィルムの幅方向の片方につまみを有するシールを前記折り返した部分の該ラップフィルムの幅方向に渡って貼り付けたことを特徴とする。
【０００６】
該シールが該ラップフィルムの幅方向の両方に該つまみを有することを特徴とする。
【発明の効果】
【０００７】
本発明は、巻き終えたラップフィルムの端部を該ラップフィルムの外側に折り返し、該ラップフィルムの幅方向の片方につまみを有するシールを前記折り返した部分の該ラップフィルムの幅方向に渡って貼り付けたことで、ラップフィルム収納ケースの蓋を開いた形態で該つまみを持って該シールを該つまみの反対側に引っ張ると、該シールの接着面に引っ張られて該ラップフィルムがラップフィルムロールから該ラップフィルム収納ケースの外側に引き出されることから、該ラップフィルムが長手方向の飛び出し防止部に引っ掛かることがなく、最初に該ラップフィルムをラップフィルムロールから該ラップフィルム収納ケースの外側に引き出すことが容易になる。
【０００８】
又、本発明は、該シールが該ラップフィルムの幅方向の両方に該つまみを有することで、左右のどちらであったとしても、前記引き出すことが容易になる。
【０００９】
又、本発明は低コストで実現することができるため、材料費のコストダウンを図ることができる。
【発明を実施するための最良の形態】
【００１０】
本発明を実施するための形態を各図を参照して説明する。
本発明は、巻き終えたラップフィルム２の端部３を該ラップフィルム２の外側に折り返し、該ラップフィルム２の幅方向の片方につまみ６を有するシール４を前記折り返した部分の該ラップフィルム２の幅方向に渡って貼り付けたラップフィルムロールである。本発明の素材はプラスチックなどの樹脂材にしてもよい。
【００１１】
本発明の実施例においては図１〜図５に示すように巻き終えたラップフィルム２の端部３を該ラップフィルム２の外側に折り返し、該ラップフィルム２の幅方向の両方につまみ６を有するシール４を前記折り返した部分から該端部３までの該ラップフィルム２の幅方向に渡って貼り付けたラップフィルムロールに係わる。
【００１２】
図６に示す従来のラップフィルムロールにおいてはラップフィルム収納ケースにラップフィルムロールが飛び出すのを防止する長手方向の飛び出し防止部を有する場合、図１０に示すようにラップフィルム２が長手方向の飛び出し防止部９に引っ掛かることから、図８、図１０に示すように図９に示すラップフィルム収納ケース７の蓋８を開いた形態で該ラップフィルム収納ケース７に収納されている図６に示すラップフィルムロールに貼り付けられているシール４のつまみ６を持って該シール４を引っ張り、最初に該ラップフィルム２を該ラップフィルムロールから該ラップフィルム収納ケース７の外側に引き出すことが困難である。
【００１３】
しかし、本発明は、図１〜図５に示すように巻き終えたラップフィルム２の端部３を該ラップフィルム２の外側に折り返し、該ラップフィルム２の幅方向の両方につまみ６を有するシール４を前記折り返した部分から該端部３までの該ラップフィルム２の幅方向に渡って貼り付けたことで、図３、図５に示すように図４に示すラップフィルム収納ケース７の蓋８を開いた形態で該つまみ６を持って該シール４を該つまみ６の反対側に引っ張ると、該シール４の接着面５に引っ張られて該ラップフィルム２がラップフィルムロール１から該ラップフィルム収納ケース７の外側に引き出されることから、該ラップフィルム２が長手方向の飛び出し防止部９に引っ掛かることがなく、最初に該ラップフィルム２を該ラップフィルムロール１から該ラップフィルム収納ケース７の外側に引き出すことが容易になる。
【００１４】
又、該シール４の両方に該つまみ６を有することから、左右のどちらであったとしても、前記引き出すことが容易になる。
【００１５】
又、本発明は低コストで実現することができるため、材料費のコストダウンを図ることができる。
【産業上の利用可能性】
【００１６】
本発明は、使い勝手がよい構成を低コストで実現することができるため、市場における拡販及び利便性の向上を期待することができる。
【図面の簡単な説明】
【００１７】
【図１】本発明の一実施例のラップフィルムロールの外観図
【図２】本発明の一実施例のつまみの長手方向の断面図
【図３】図１の本発明の一実施例のラップフィルムロールにおいて、貼り付けたシールのつまみを持って前記シールを前記つまみの反対側に引っ張ったときの外観図
【図４】図１の本発明の一実施例のラップフィルムロールを収納したラップフィルム収納ケースの蓋を開いた形態の外観図
【図５】図４の本発明の一実施例のラップフィルムロールにおいて、貼り付けたシールのつまみを持って前記シールを前記つまみの反対側に引っ張ったときの外観図
【図６】従来のラップフィルムロールの外観図
【図７】従来のつまみの長手方向の断面図
【図８】図６の従来のラップフィルムロールにおいて、貼り付けられているシールのつまみを持って前記シールを引っ張ったときの外観図
【図９】図６の従来のラップフィルムロールを収納したラップフィルム収納ケースの蓋を開いた形態の外観図
【図１０】図９の従来のラップフィルムロールにおいて、貼り付けられているシールのつまみを持って前記シールを引っ張ったときの外観図
【符号の説明】
【００１８】
１  ラップフィルムロール
２  ラップフィルム
３  端部
４  シール
５  接着面
６  つまみ
７  ラップフィルム収納ケース
８  蓋
９  飛び出し防止部